(57)【要約】【課題】  ファンケーシングの吹出し口部と吸込み口部との間で生じるショートサーキットを抑制し、送風距離を向上することのできる送風機を提供する。【解決手段】  一側面に開口部１０を有する送風機本体１と、送風機本体１内に回動可能に設けられたクロスフロー型の羽根車５と、吸込み口部１１と吹出し口部１２とを有し、送風機本体１内に揺動可能に設けられ、羽根車５を囲うファンケーシング６と、吹出し口部１２のうち、吸込み口部１１に近いｂ部分に設けられ、空気の吹出し方向に突出した延長部１６とを備える。【選択図】  図３
2018168702.tif 000002
【特許請求の範囲】
【請求項１】
一側面に開口部を有する送風機本体と、
前記送風機本体内に回動可能に設けられたクロスフロー型の羽根車と、
前記開口部から空気を吸込む吸込み口部と前記開口部に向けて空気を吹出す吹出し口部とを有し、前記送風機本体内に揺動可能に設けられ、前記羽根車を囲うファンケーシングと、
前記送風機本体内に設けられ、前記吹出し口部と前記吸込み口部との間で生じるショートサーキットを抑制する抑制部と
を備えた送風機。
【請求項２】
前記抑制部は、前記吹出し口部のうち、前記吸込み口部に近い部分に設けられていることを特徴とする請求項１に記載の送風機。
【請求項３】
前記抑制部は、前記吹出し口部から空気の吹出し方向に突出した延長部で構成されていることを特徴とする請求項２に記載の送風機。
【請求項４】
前記抑制部は、前記吹出し口部から空気の吹出し方向に対して交差する方向に突出した延長部で構成されていることを特徴とする請求項２に記載の送風機。
【請求項５】
前記抑制部は、前記ショートサーキットが生じる前記吹出し口部と前記吸込み口部との間の通風路に設けられ、前記送風機本体から前記吹出し口部の方向に突出した突出部で構成されていることを特徴とする請求項１に記載の送風機。
【発明の詳細な説明】
【技術分野】
【０００１】
本発明は、室内空気を攪拌する送風機に関するものである。
【背景技術】
【０００２】
従来の送風機として、天井内又は壁面内に据え付けられ、本体の室内側の一側面に設けられた開口部から室内空気の吸込みと吹出しを行うものがある。この送風機は、モータによって回転する羽根車と、空気の吸込み口部と吹出し口部とを有し、羽根車を囲うファンケーシングとから構成されるクロスフローファンを備え、羽根車の回転によって、室内空気の吸込みと吹出しを行う。ファンケーシングは羽根車の回転軸に対して揺動できるように取り付けられ、空気を広範囲に吹出すことによって、室内空気を効率良く攪拌し、室内の天井付近と床付近との間に生じる温度分布のむらを小さくすることができる（例えば、特許文献１参照）。
【先行技術文献】
【特許文献】
【０００３】
【特許文献１】特開２００３−２２７６４０号公報
【発明の概要】
【発明が解決しようとする課題】
【０００４】
このような構造の送風機は、本体の一側面の開口部から空気の吸込みと吹出しを同時に行い、また、室内空気を効率良く攪拌するためにファンケーシングの揺動角を大きく設定している。そのため、ファンケーシングの揺動時に、ファンケーシングの吹出し口部から吹出された空気の一部が本体の内壁面に衝突し、ファンケーシングの吸込み口部から再度吸込まれるショートサーキットが発生していた。それにより、本来狙いとした到達距離まで空気を送ることができないという問題があった。
【０００５】
本発明は、上記した問題点を解決するためになされたものであり、ショートサーキットを抑制し、送風距離を向上することのできる送風機を提供することを目的とするものである。
【課題を解決するための手段】
【０００６】
本発明に係る送風機は、一側面に開口部を有する送風機本体と、前記送風機本体内に回動可能に設けられたクロスフロー型の羽根車と、前記開口部から空気を吸込む吸込み口部と前記開口部に向けて空気を吹出す吹出し口部とを有し、前記送風機本体内に揺動可能に設けられ、前記羽根車を囲うファンケーシングと、前記送風機本体内に設けられ、前記吹出し口部と前記吸込み口部との間で生じるショートサーキットを抑制する抑制部とを備えたものである。
【発明の効果】
【０００７】
本発明の送風機は、送風機本体内に、ファンケーシングの吹出し口部と吸込み口部との間で生じるショートサーキットを抑制する抑制部を備えたことにより、ショートサーキットを抑制し、送風距離を向上させることができる。
【図面の簡単な説明】
【０００８】
【図１】本発明の実施の形態１〜３を示す送風機の斜視図である。
【図２】ショートサーキットを説明するための従来の送風機のＡ−Ａ断面図である。
【図３】本発明の実施の形態１を示す送風機のＡ−Ａ断面図である。
【図４】本発明の実施の形態２を示す送風機のＡ−Ａ断面図である。
【図５】本発明の実施の形態３を示す送風機のＡ−Ａ断面図である。
【発明を実施するための形態】
【０００９】
実施の形態１．
本発明の実施の形態１における送風機について図１から図３を用いて説明する。図１は本発明の実施の形態１〜３を示す送風機の斜視図であり、図２はショートサーキットを説明するための従来の送風機のＡ−Ａ断面図、図３は本発明の実施の形態１を示す送風機のＡ−Ａ断面図である。
【００１０】
図１において、実施の形態１の送風機は、送風機本体１と送風機本体１内に設けられたクロスフローファン４とから構成されている。送風機本体１は、室内側の一側面に長方形状の開口部９を有する筐体２と、筐体２の開口部９に装着され、長方形状の開口部１０を有するグリル３とから構成されている。筐体２の内部にはクロスフローファン４が設けられている。クロスフローファン４は、クロスフロー型の羽根車５と、空気の吸込み口部１１と吹出し口部１２とを有し、羽根車５を囲うファンケーシング６と、羽根車５を回転させるファンモータ７と、ファンケーシング６を揺動させるための駆動モータ８とから構成されている。
【００１１】
図２に示すように、送風機本体１は、天井内又は壁面内に据付けられるものであり、クロスフローファン４の回転により、筐体２の開口部９からグリル３の開口部１０を介して室内空気の吸込みと吹出しを行う。具体的には、室内空気は、羽根車５の回転により、矢印１４のように開口部１０、９から送風機本体１内に吸込まれ、ファンケーシング６の吹出し口部１２から矢印１５のように開口部９、１０を通って室内に吹出される。ファンケーシング６は、駆動モータ８によって羽根車５の回転軸１３に対して前後方向（図２の紙面横方向）に揺動し、風の向きを前後方向に変えることができるようになっている。
【００１２】
ファンケーシング６が揺動する角度１９については、より広角にすることによって送風範囲を広げ、室内空気を効率よく攪拌することができる。そのため、吹出し口部１２から空気の吹出し方向への延長線がグリル３の開口部１０の２つの長辺にそれぞれ接する範囲まで最大限揺動できるようになっている。図２（ａ）はファンケーシング６が前側に、図２（ｂ）は後側に最大限揺動したときのファンケーシング６の揺動位置を示す。
また、クロスフローファン４全体をグリル３に近接させるほど揺動角１９を広角にすることができるため、ファンケーシング６の揺動時に吹出し口部１２とグリル３が接しない程度に、クロスフローファン４をグリル３に近接した位置に配置している。
【００１３】
ここで、ショートサーキットについて、図２（ｂ）を用いて説明する。
ファンケーシング６は、図２（ｂ）に示すように広角に揺動するため、図２（ｂ）の揺動位置において、吹出し口部１２より吹出された空気の一部は、送風機本体１の内壁面に衝突する。そのため、矢印１５ａのように吹出された空気の一部が吸込み口部１１から再度吸込まれるショートサーキットが発生する。クロスフローファン４の構成上、図２（ｂ）の揺動位置では、吹出した空気が送風機本体１の内壁面に衝突する位置と吸込み口部１１との距離が近いため、特にショートサーキットが問題となる。ショートサーキットが発生すると、吹出し口部１２からの送風距離が低下し、本来狙いとした到達距離まで空気を送ることができなくなるため、図２（ｂ）の揺動位置において発生するショートサーキットを抑制する必要がある。
【００１４】
そこで、本発明の実施の形態１の送風機は、ショートサーキットを抑制するために、図３に示すようにファンケーシング６の吹出し口部１２に延長部１６を設ける。延長部１６は、吹出し口部１２の吸込み口部１１に近いｂ部分が対向するａ部分よりも長くなるように空気の吹出し方向に突出して設け、ファンケーシング６の揺動時にグリル３に当たらない程度まで延長する。
【００１５】
このようにファンケーシング６の吹出し口部１２の部分のうち、吸込み口部１１に近いｂ部分に延長部１６を設けたことにより、ファンケーシング６の揺動時において、吹出し口部１２から吸込み口部１１の方向に進む空気の量が減少し、ショートサーキットを抑制することができる。それにより、ショートサーキットが生じる揺動位置における送風距離を向上させることができ、また、ショートサーキットによる気流の乱れによって生じる騒音についても低減することができる。
【００１６】
なお、延長部１６は、吹出し口部１２と吸込み口部１１との間で生じるショートサーキットの空気の流れを制限できる寸法であれば良く、必ずしも吹出し口部１２のｂ部分がａ部分よりも長くなっている必要はない。
また、延長部１６は、吹出し口部１２から空気の吹出し方向に突出するように設けたが、空気の吹出し方向に対し交差する方向、例えば、図３の紙面横方向、斜め方向に突出させても良い。延長部１６を前記交差する方向に突出させた場合には、吸込み口部１１からの空気の吸込みに影響が生じる可能性があるので、空気の吸込み量と吹出し量のバランスを考慮して突出させる長さを設定する。
【００１７】
実施の形態２．
図４は、実施の形態２の送風機を示す断面図である。図４に示すように、実施の形態２では、送風機本体１内の一部から吹出し口部１２の方向に突出した突出部１７を設ける。図４（ａ）は筐体２に突出部１７を設けた場合、図４（ｂ）はグリル３に突出部１７を設けた場合の送風機の断面図を示す。突出部１７は、ショートサーキットが生じる吹出し口部１２と吸込み口部１１との間の通風路１８上に設けられており、吹出し口部１２から吹出された空気の一部が送風機本体１の内壁面に衝突し、吸込み口部１１方向に進むのを防止するように突出している。突出部１７の長さについては、ファンケーシング６が揺動したときに衝突しない長さまで突出させるとショートサーキットを抑制する効果は高いが、突出させ過ぎると吸込み口部１１からの空気の吸込みにも影響するため、空気の吸込み量と吹出し量のバランスを考慮して突出させる長さを設定する。
【００１８】
このように、送風機本体１の一部から吹出し口部１２の方向に突出した突出部１７を設けたことにより、ファンケーシング６の揺動時において、吹出し口部１２から吹出された空気のうち送風機本体１の内壁面に衝突した空気が吸込み口部１１方向に進むのを制限するので、ショートサーキットを抑制することができる。そのため、実施の形態１に示された送風機と同様に、ショートサーキットが生じる揺動位置における送風距離を向上させ、騒音についても低減することができる。
【００１９】
なお、突出部１７は、ショートサーキットが生じる吹出し口部１２と吸込み口部１１との間の通風路１８の空気の流れを制限できれば良く、図４のように紙面横方向に突出したものではなく、斜め方向に突出したものでも良い。
【００２０】
実施の形態３．
図５は、実施の形態３の送風機を示す断面図である。実施の形態３の送風機は、図５に示すように、実施の形態１の延長部１６と実施の形態２の突出部１７の両方を設けたものである。このように延長部１６と突出部１７の両方を設けたことにより、それぞれ単独で設けた場合に比べ、ショートサーキットを抑制する効果はさらに高くなる。
【符号の説明】
【００２１】
１  送風機本体、  ２  筐体、  ３  グリル、  ４  クロスフローファン、
５  羽根車、  ６  ファンケーシング、  ７  ファンモータ、  ８  駆動モータ、
９  開口部、  １０  開口部、  １１  吸込み口部、  １２  吹出し口部、
１３  回転軸、  １４  吸込み気流、  １５  吹出し気流、  １６  延長部、
１７  突出部、  １８  通風路、  １９  揺動角
【図１】
2018168702.tif 000003
【図２】
2018168702.tif 000004
【図３】
2018168702.tif 000005
【図４】
2018168702.tif 000006
【図５】
2018168702.tif 000007